(57)【要約】      （修正有）【課題】色補正の全体的方向を直感的に指定でき、望む色へ容易且つ的確に補正する色調整システム、色調整方法及びプリンタドライバを得る。【解決手段】ＲＧＢ系の画像データと複数色のインク量のデータとを対応づけたルックアップテーブルを有するプリンタドライバ１０で、印刷データを補間演算で求め、該印刷データを出力するホストコンピュータ２と、ホストコンピュータ２から出力された印刷データを複数色のインクで印刷媒体に印刷する印刷装置３と、印刷装置３で印刷媒体に印刷された色補正パターン４とを有し、色補正パターン４は、任意の基準とする色相から僅かに異なる色相を候補として複数提示したパターンと、任意の基準とする明度から僅かに異なる明度を候補として複数提示したパターンとを含み、プリンタドライバ１０は、色補正パターン４で選択された候補のパターンに基づき、ルックアップテーブル１１の各色インク量の対応関係を補正する。【選択図】図１
2009253665.tif 000002
【特許請求の範囲】
【請求項１】
ＲＧＢ表示系の画像を示すデータと複数色のインク量を示すデータとを対応づけて登録しているルックアップテーブルを有するプリンタドライバによって、印刷データを補間演算により求めて、該印刷データを出力するホストコンピュータと、
前記ホストコンピュータから出力された印刷データを複数色のインクにより印刷媒体に印刷する印刷装置と、
前記印刷装置により印刷媒体に印刷された色補正パターンと、
を有し、
前記色補正パターンは、任意の基準とする色相から僅かに異なる色相を候補として複数提示したパターンと、任意の基準とする明度から僅かに異なる明度を候補として複数提示したパターンと、を含み、
前記プリンタドライバは、前記色補正パターンから選択された候補のパターンに基づいて、前記ルックアップテーブルにおける各色のインク量の対応関係を補正することを特徴とする印刷出力に対する色調整システム。
【請求項２】
前記基準とする色相とは、赤、緑、青、シアン、マゼンタ、黄の６色相であることを特徴とする請求項１に記載の印刷出力に対する色調整システム。
【請求項３】
前記色補正パターンは、さらに、任意の基準とする彩度から僅かに異なる彩度を候補として複数提示したパターンを有することを特徴とする請求項１又は２に記載の印刷出力に対する色調整システム。
【請求項４】
ＲＧＢ表色系の画像を示すデータと複数色のインク量を示すデータとを対応づけて登録しているルックアップテーブルを基に印刷データを補間演算により求めて、該印刷データを印刷出力する際の色調整方法であって、
任意の基準とする色相から僅かに異なる色相を候補として複数提示したパターンと、任意の基準とする明度から僅かに異なる明度を候補として複数提示したパターンと、を含む色補正パターンから選択された候補のパターンに基づいて、前記ルックアップテーブルにおける各色のインク量の対応関係を補正するステップを含むことを特徴とする印刷出力に対する色調整方法。
【請求項５】
ＲＧＢ表色系の画像を示すデータと複数色のインク量を示すデータとを対応づけて登録しているルックアップテーブルを有し、印刷データを生成する処理をコンピュータに実行させるプリンタドライバであって、
任意の基準とする色相から僅かに異なる色相を候補として複数提示したパターンと、任意の基準とする明度から僅かに異なる明度を候補として複数提示したパターンと、を含む色補正パターンからユーザが選択した候補のパターンに基づいて、前記ルックアップテーブルにおける各色のインク量の対応関係を補正する手順と、
補正されたルックアップテーブルを基に印刷データを生成する手順と、
をコンピュータに実行させることを特徴とするプリンタドライバ。
【発明の詳細な説明】
【技術分野】
【０００１】
本発明は、印刷装置から印刷媒体に対して出力された画像等の色補正を行うための色補正パターンを提示して、所望の色への補正を行う色調整システム、色調整方法及びプリンタドライバに関する。
【背景技術】
【０００２】
一般に、インクジェットプリンタ等の印刷装置では、モニタ上で表現される色がプリンタで出力する色空間内に適切におさまるように色の設計がなされている。ところが、予め決められたメカ特性・印刷媒体に合わせて色設計がなされても、装置自体の個体差や使用環境の違い、対応外の印刷媒体の使用があると、想定している色と異なった色で印刷されることがある。また、設計されている色やインク使用量がユーザの要望に合わない場合もある。
【０００３】
これに対して、従来は、独自のカラープロファイルや測色機を用いて色補正をすることが可能であった。しかし、専門的な色の知識や色補正を行うソフトウェア、測色機等の機材が必要であるため、作業が煩雑で一般ユーザが容易に色補正を行えないという問題があった。
【０００４】
この課題を解決する手段として、調整したい特定の色の補正に関して、複数の色の候補を調整シートとして印刷出力し、その中から所望の色を選択したり、直接ＲＧＢ値を入力したりして色の補正を行うカラー出力調整装置（例えば、特許文献１参照）なども提案されている。
【０００５】
【特許文献１】特開２００４−２１３３１７号公報（５頁−第８頁、図５）
【発明の開示】
【発明が解決しようとする課題】
【０００６】
しかしながら、例えば、上記に開示されたカラー出力調整装置は、ＲＧＢのそれぞれの成分を個別に補正するものであるため、従来と同様に、色補正に関する専門的知識が必要で色の補正を直感的に行うことが困難であるという問題があった。これはＲＧＢ値に係る数値を直接調整する場合はなおさらである。また、特定の色のみを調整するので、周辺の階調性が調整されないという問題があった。
【０００７】
そこで、本発明の目的は、複数の基準となる色相から構成される色補正パターンを提示して目視で色補正の候補を選択することにより、色補正の全体的な方向性を直感的に指定でき、ユーザが所望する色への補正を容易且つ的確に行うことができる印刷出力に対する色調整システム、色調整方法及びプリンタドライバを提供することにある。
【課題を解決するための手段】
【０００８】
上記目的を達成するために、本発明に係る印刷出力に対する色調整システムは、ＲＧＢ表色系の画像を示すデータと複数色のインク量を示すデータとを対応づけて登録しているルックアップテーブルを有するプリンタドライバによって、印刷データを補間演算により求めて、該印刷データを出力するホストコンピュータと、
前記ホストコンピュータから出力された印刷データを複数色のインクにより印刷媒体に印刷する印刷装置と、
前記印刷装置により印刷媒体に印刷された色補正パターンと、
を有し、
前記色補正パターンは、任意の基準とする色相から僅かに異なる色相を候補として複数提示したパターンと、任意の基準とする明度から僅かに異なる明度を候補として複数提示したパターンと、を含み、
前記プリンタドライバは、前記色補正パターンから選択された候補のパターンに基づいて、前記ルックアップテーブルにおける各色のインク量の対応関係を補正することを特徴とする。
上記システムによれば、色補正パターンを目視で確認しながら直感的に色補正の方向性を指定して、印刷データを出力することができる。
【０００９】
また、前記基準とする色相とは、赤、緑、青、シアン、マゼンタ、黄の６色相であることが好ましい。
これにより、基準６色相の中から補正したい色を選択できるので、感覚的に意図する色補正を適切に選択することができる。
【００１０】
また、前記色補正パターンは、さらに、任意の基準とする彩度から僅かに異なる彩度を候補として複数提示したパターンを有することが好ましい。
これにより、色彩の３要素すべてに関して直感的に色補正を行うことができる。
【００１１】
また、本発明に係る印刷出力に対する色調整方法は、ＲＧＢ表色系の画像を示すデータと複数色のインク量を示すデータとを対応づけて登録しているルックアップテーブルを基に印刷データを補間演算により求めて、該印刷データを印刷出力する際の色調整方法であって、
任意の基準とする色相から僅かに異なる色相を候補として複数提示したパターンと、任意の基準とする明度から僅かに異なる明度を候補として複数提示したパターンと、を含む色補正パターンから選択された候補のパターンに基づいて、前記ルックアップテーブルにおける各色のインク量の対応関係を補正するステップを含むことを特徴とする。
上記方法によれば、色補正パターンを目視で確認しながら直感的に色補正の方向性を指定して、印刷データを出力することができる。
【００１２】
また、本発明に係るプリンタドライバは、ＲＧＢ表色系の画像を示すデータと複数色のインク量を示すデータとを対応づけて登録しているルックアップテーブルを有し、印刷データを生成する処理をコンピュータに実行させるプリンタドライバであって、
任意の基準とする色相から僅かに異なる色相を候補として複数提示したパターンと、任意の基準とする明度から僅かに異なる明度を候補として複数提示したパターンと、を含む色補正パターンからユーザが選択した候補のパターンに基づいて、前記ルックアップテーブルにおける各色のインク量の対応関係を補正する手順と、
補正されたルックアップテーブルを基に印刷データを生成する手順と、
をコンピュータに実行させることを特徴とする。
上記プリンタドライバによれば、色補正パターンを目視で確認しながら直感的に色補正の方向性を指定して、印刷データの出力を行うことができる。
【発明を実施するための最良の形態】
【００１３】
以下に、本発明に係る印刷出力に対する色調整システム、色調整方法及びプリンタドライバの好適な実施の形態を、図面を参照して詳細に説明する。
本発明に係る印刷出力に対する色調整システム、色調整方法及びプリンタドライバの実施の形態の一例を、図面を参照して説明する。図１は、本発明の実施の形態に係る色調整システムの機能を説明するブロック図である。
【００１４】
図１において、本実施の形態の色調整システム１は、ＲＧＢ表色系の画像を示すデータと複数色のインク量を示すデータとを対応づけて登録しているルックアップテーブルＬＵＴ１１を有するプリンタドライバ１０によって、印刷データを補間演算により求めて、該印刷データを出力するホストコンピュータ２と、ホストコンピュータ２から出力された印刷データを複数色のインクにより印刷媒体に印刷する印刷装置３と、印刷装置３により印刷媒体に印刷された色補正パターン４と、を備える。
ホストコンピュータ２は、主に、プリンタドライバ１０、ＬＵＴ展開領域２０で構成され、ＣＰＵやＯＳ、接続する入出力装置、表示装置など、その他の構成は図示を省略する。
【００１５】
ホストコンピュータ２においては、Ｒ（赤）Ｇ（緑）Ｂ（青）表色系の画像データを利用して、ドットマトリックス状の各画素について各色成分を階調値として表している。
一方、印刷装置３の印刷処理においては、ＲＧＢ画像データをインク量に変換する処理が必要となり、ＲＧＢ表示系の画像を示すデータとインク量とを対応づけて登録しているルックアップテーブル（以下、ＬＵＴとも表記する）を基に変換後のインク量を補間演算により求めている。
例えば、印刷装置３のインク色がシアン（Ｃ）、マゼンタ（Ｍ）、黄（Ｙ）の３色の場合、ルックアップテーブル（ＬＵＴ）には、色の値（ＲＧＢ表示系のＲ，Ｇ，Ｂ値）に対するインク量［Ｃ，Ｍ，Ｙ］がセットされている。この場合のＬＵＴを示す表は、以下に示す表１のようになる。この表１においては、グリッド数がｎ３個存在する。
このような、ＬＵＴがあると、画像のＲＧＢ値に対するインク量がすぐに算出できる。グリッドにないＲＧＢ値に対するインク量は、周囲のグリッドのインク量から補完計算される。本実施の形態では、このＬＵＴから実インク量に展開し、補正している。
【００１６】
【表１】
2009253665.tif 000003
【００１７】
プリンタドライバ１０は、印刷装置３の印刷動作全般を制御するためのドライバであり、描画や色調整に係る処理部（いずれも図示省略）の他、色とインク量の対応関係に係るリソース１３を有している。
【００１８】
ＲＧＢ表示系の画像を示すデータと複数色のインク量を示すデータとを対応づけて登録しているＬＵＴ１１と、ＬＵＴ１１の数値（インク量）を補正するための色補正アルゴリズム１２が含まれる。
【００１９】
ＬＵＴ展開領域２０は、ホストコンピュータ２のメモリ内に設けられたＬＵＴ１１を展開するための領域で、色補正アルゴリズム１２により展開したＬＵＴ２１の数値補正もこのＬＵＴ展開領域２０で行われる。
【００２０】
プリンタドライバ１０は、ユーザの色補正要求に応じて、後述する色補正パターン４を印刷出力する。プリンタドライバ１０は、さらに、ユーザが色補正パターン４を目視して指示した補正値を参照し、色補正アルゴリズム１２に基づいてＬＵＴ展開領域２０内に展開したＬＵＴ２１を補正後のＬＵＴ２２に補正する。
【００２１】
なお、これらの各構成は、ホストコンピュータ内の図示しないＣＰＵが、プリンタドライバを読み出して、メモリ（ＲＯＭ、ＲＡＭなど：図示せず）と協働してプリンタドライバの手順を実行することにより機能するものである。
従って、後述する色補正アルゴリズム１２およびそれを用いた色補正手順を含むプリンタドライバをインストールすれば、既存の印刷装置（プリンタ）であっても本発明の色補正方法を実行可能であることは言うまでもない。
【００２２】
次に、上記構成の色調整システム１における印刷出力に対する色調整方法について説明する。
【００２３】
図２は、本実施の形態に係る印刷出力に対する色調整方法の手順を示すフローチャートである。
はじめに、任意のアプリケーションで作成等を行い、印刷出力した任意画像について（ステップＳ１０１）、ユーザが色補正を行いたい場合（ステップＳ１０２のＹｅｓ）、その旨がプリンタドライバ１０へ指示され、プリンタドライバ１０は色補正に係る色補正パターン４を印刷出力する。
なお、色補正を行う旨の指示は、例えば、ホストコンピュータ２のキーボードからのキー入力等で行えばよい。
【００２４】
図３は、本実施の形態に係る印刷出力に対する色調整方法に用いる色補正パターンを示す模式図である。
色補正パターンは、赤（Ｒ）、緑（Ｇ）、青（Ｂ）、シアン（Ｃ）、マゼンタ（Ｍ）、黄（Ｙ）の６色相（以下、基準６色相と称する）および黒の色相について、その両側にそれぞれｍ個およびｎ個の候補色が提示され、選択できる構成となっている。また、明度についても、ｐ個の候補が提示され、選択できる構成になっている。
【００２５】
ユーザは、印刷媒体に印刷された色補正パターン４を目視し、基準６色相のそれぞれについて、どのように補正したいかを色の選択だけで指示することができる。
明度についても明るさの度合いを選択するだけで補正の指示を行うことができる。例えば、印刷出力した写真の画像について、全体的に黄色の“赤み”が足りないと思うユーザは、色補正パターン４の基準色相：黄（Ｙ）について［Ｙ＋］（赤（Ｒ）側へ１つ目)のパッチを選択すればよい。
【００２６】
従って、ユーザは、従来のように、指定した特定の色についてＲＧＢ成分を考慮しながら色を選択したり、ＲＧＢ成分の数値を直接入力したりする必要がなく、直感的且つ容易に色補正の方向性を指示することができる。
【００２７】
次に、図２のフローチャートに戻って説明を続ける。
ユーザが色補正パターンで選択した色相および明度に係るパッチ情報が、ホストコンピュータ２に入力されると（ステップＳ１０４）、プリンタドライバ１０は、入力に基づいて色補正アルゴリズム１２を実行する（ステップＳ１０５）。
色補正は、ＬＵＴ１１を展開する際に色補正アルゴリズム１２を用いてテーブルのインク量（数値）を補正することにより行われる。
なお、パッチ情報の入力は、印刷装置に接続する表示装置（図示省略）の画面上に図３に示す色補正パターンを表示させ、マウスやキーボードなどの入力装置を用いて画面上でパッチを選択させるような形態が好ましい。
【００２８】
図４は、本発明の実施の形態に係る印刷出力に対する色調整方法で用いる色補正アルゴリズムの手順を示すフローチャートである。図５は、色補正アルゴリズムの手順に従って実行される演算の様子を具体的に説明するための図である。
はじめに、プリンタドライバ１０は、ＬＵＴ１１を実インク量で展開する（ステップＳ２０１）。次に、ＬＵＴ１１の構成グリッドのＲＧＢ値からＨ値（ＨＳＶ色空間）、Ｓ値（ＨＳＶ色空間）、Ｋ比重値（ＵＣＲ）を算出する（ステップＳ２０２）。さらに、算出したＨ値から、基準６色相の比重（Ｈ_Ｒ、Ｈ_Ｙ、Ｈ_Ｇ、Ｈ_Ｃ、Ｈ_Ｂ、Ｈ_Ｍ）を求める（ステップＳ２０３）。
【００２９】
次に、色補正パターンでユーザが選択した基準６色相の色補正量（インク変化量）に、ステップＳ２０２で算出したＳ値とステップＳ２０３で求めた基準６色相の比重を乗じ、ステップＳ２０１で展開したインク量の値に加算する（ステップＳ２０４）。
さらに、色補正パターンでユーザが選択した黒の色補正量（インク変化量）に、ステップＳ２０２で算出したＳ値の反転値とステップＳ２０２で求めたＫ比重値を乗じ、ステップＳ２０１で展開したインク量に加算する（ステップＳ２０５）。最後に、色補正パターンでユーザが選択した明度補正量（インク量減少比）を、ステップＳ２０５までの手順で算出したインク量に乗じる（ステップＳ２０６）。
【００３０】
図６は、上記の色補正アルゴリズム１２による基準６色相のプリンタガマットの変化の様子を説明するための模式図である。
図６において、実線で示す６角形が補正により点線で示す６角形に変化する。補正の前後で位置が変化している頂点は、ユーザにより補正が選択された基準色である。稜線は、Ｓ値が大きいほど色補正が大きくなることを示しているが、Ｓ値のトーンカーブ補正（例えば、Ｙ稜線（１点鎖線）を２点鎖線で示すように曲線とする補正）により、稜線カーブを調整することができる。
【００３１】
図７、図８、図９は、上記の色補正アルゴリズム１２による黒色相のプリンタガマットの変化の様子を説明するための模式図である。
図７は、Ｓ値が小さいほど色補正が大きくなること、および、Ｋ値が大きいほど色補正が大きくなること（Ｋ値＝０の白では補正なし）を示しているが、図８に示すように、Ｓ値のトーンカーブ補正で低彩度領域の補正カーブを調整することができる。同様に、図９に示すように、Ｋ比重値のトーンカーブ補正でガマット形状の変化具合を調整することができる。
【００３２】
また、図１０は、上記の色補正アルゴリズム１２による明度に係るプリンタガマットの変化の様子を説明するための模式図である。すべてのインク量が明度補正量分(％)だけ減少することがわかる。
【００３３】
再び、図２のフローチャートに戻って説明を続ける。
以上に説明したような色補正アルゴリズムの実行により、ユーザが選択した色相、明度について色補正が行われると（ステップＳ１０５）、ステップＳ１０１に戻り、ユーザは、最初の任意画像を再度出力して、色補正の良否を比較する（ステップＳ１０２）。補正が適切でないと判断する場合、ステップＳ１０３以降の手順をくり返す。一方、補正が適切であると判断する場合、以上の印刷出力に対する色調整方法に係る手順が終了する。
【００３４】
次に、上記の色補正アルゴリズムによるインク量の補正について具体例を用いて説明する。
図１１は、赤（Ｒ）の基準色相（グリッド（Ｒ，Ｇ，Ｂ）＝（２５５，０，０））について、ユーザが色補正パターン（図３参照）で色相補正「Ｒ＋」、明度補正「７０％」を選択した場合の補正後インク量の計算例を示すフローチャートである。
なお、その他の基準色相については基準パッチを選択したものとする。
【００３５】
はじめに、該当グリッド（（Ｒ，Ｇ，Ｂ）＝（２５５，０，０））のインク量（［Ｃ，Ｍ，Ｙ］＝［０，１５０，１５０］）が展開される（ステップＳ３０１）。
次に、ＨＳＶ計算式に基づいて、該当グリッドの色相(Ｈ値＝３０°)が計算される（ステップＳ３０２）。
さらに、ＨＳＶ計算式に基づいて、該当グリッドの彩度(Ｓ値＝１)が計算される（ステップＳ３０３）。また、ＵＣＲ計算式に基づいて、該当グリッドの黒比重値（Ｋ比＝０）が計算される（ステップＳ３０４）。
【００３６】
次に、該当グリッドの各色相（Ｈ値）比重を計算する。即ち、Ｈ＝３０°を基準６色相の比重に分解する（ステップＳ３０５）。ここで、Ｈ＿Ｒ＝１，Ｈ＿Ｙ＝０，Ｈ＿Ｇ＝０，Ｈ＿Ｃ＝０，Ｈ＿Ｂ＝０，Ｈ＿Ｍ＝０となる。
【００３７】
次に、ユーザが指定したパッチに対応する各色相インク補正量を参照し、６色相インク補正量を計算する（ステップＳ３０６）。計算式は次のようになる。
６色相インク補正量＝Ｓ×（Ｈ＿Ｒ×Ｒ補正量＋Ｈ＿Ｙ×Ｙ補正量＋
Ｈ＿Ｇ×Ｇ補正量＋Ｈ＿Ｃ×Ｃ補正量＋
Ｈ＿Ｂ×Ｂ補正量＋Ｈ＿Ｍ×Ｍ補正量）
＝１×（１×［０，１０，−１０］）
＝［０，１０，−１０］
【００３８】
さらに、ユーザが指定した黒色相インク補正量を参照し、黒色相インク補正量を計算する（ステップＳ３０７）。計算式は次のようになる。
黒色相インク補正量＝（１−Ｓ）×（Ｋ比×Ｋ補正量）
＝０×（０×［０，０，＋１０］）＝［０，０，０］
【００３９】
次に、該当グリッドの色相補正後のインク量を計算する（ステップＳ３０８）。色相補正前のインク量を［Ｃ，Ｍ，Ｙ］、色相補正後のインク量を［Ｃ'，Ｍ'，Ｙ'］とすると、計算式は次のようになる。
［Ｃ'，Ｍ'，Ｙ'］＝［Ｃ，Ｍ，Ｙ］＋６色相インク補正量＋黒色相インク補正量
＝［０，１５０，１５０］＋［０，１０，−１０］＋［０，０，０］
＝［０，１６０，１４０］
【００４０】
最後に、該当グリッドの明度補正後のインク量を計算する（ステップＳ３０９）。明度補正後のインク量を［Ｃ''，Ｍ''，Ｙ''］とすると、計算式は次のようになる。
［Ｃ''，Ｍ''，Ｙ''］＝［Ｃ'，Ｍ'，Ｙ'］×明度補正量
＝［０，１６０，１４０］×０．７
＝［０，１１２，９８］
以上により、補正後の「赤」に係るインク量が算出される。
【００４１】
次に、図１２は、肌色（グリッド（Ｒ，Ｇ，Ｂ）＝（２１７，１９８，１８０））について、ユーザが補正パターン（図３参照）で色相補正「Ｒ＋，Ｃ−，ＫＢ」、明度補正「１００％」を選択した場合の補正後インク量の計算例を示すフローチャートである。
なお、その他の基準色相については基準パッチを選択したものとする。
【００４２】
はじめに、該当グリッド（（Ｒ，Ｇ，Ｂ）＝（２１７，１９８，１８０））のインク量（［Ｃ，Ｍ，Ｙ］＝［１３，１８，２０］）が展開される（ステップＳ４０１）。
次に、ＨＳＶ計算式に基づいて、該当グリッドの色相(Ｈ値＝５９°)が計算される（ステップＳ４０２）。
さらに、ＨＳＶ計算式に基づいて、該当グリッドの彩度(Ｓ値＝０．１４５)が計算される（ステップＳ４０３）。また、ＵＣＲ計算式に基づいて、該当グリッドの黒比重値（Ｋ比＝０．１４９）が計算される（ステップＳ４０４）。
【００４３】
次に、該当グリッドの各色相（Ｈ値）比重を計算する。即ち、Ｈ＝５９°を基準６色相の比重に分解する（ステップＳ４０５）。ここで、Ｈ＿Ｒ＝０．５１，Ｈ＿Ｙ＝０．４９，Ｈ＿Ｇ＝０，Ｈ＿Ｃ＝０，Ｈ＿Ｂ＝０，Ｈ＿Ｍ＝０となる。
【００４４】
次に、ユーザが指定したパッチに対応する各色相インク補正量を参照し、６色相インク補正量を計算する（ステップＳ４０６）。
計算式は次のようになる。
６色相インク補正量＝Ｓ×（Ｈ＿Ｒ×Ｒ補正量＋Ｈ＿Ｙ×Ｙ補正量＋
Ｈ＿Ｇ×Ｇ補正量＋Ｈ＿Ｃ×Ｃ補正量＋
Ｈ＿Ｂ×Ｂ補正量＋Ｈ＿Ｍ×Ｍ補正量）
＝０．１４５×（０．５１×［０，１０，−１０］＋０．４９×［０，０，０］
＋０×［−１０，１０，０］
＝［０，５．１，−５．１］
【００４５】
さらに、ユーザが指定した黒色相インク補正量を参照し、黒色相インク補正量を計算する（ステップＳ４０７）。
計算式は次のようになる。
黒色相インク補正量＝（１−Ｓ）×（Ｋ比×Ｋ補正量）
＝０．８５５×（０．１４９×［５，５，−１０］）
＝［０．６，０．６，−１．３］
【００４６】
次に、該当グリッドの色相補正後のインク量を計算する（ステップＳ４０８）。色相補正前のインク量を［Ｃ，Ｍ，Ｙ］、色相補正後のインク量を［Ｃ'，Ｍ'，Ｙ'］とすると、計算式は次のようになる。
［Ｃ'，Ｍ'，Ｙ'］＝［Ｃ，Ｍ，Ｙ］＋６色相インク補正量＋黒色相インク補正量
＝［１３，１８，２０］＋［０，５．１，−５．１］＋［０．６，０．６，−１．３］
＝［１３．６，２３．７，１３．６］
【００４７】
最後に、該当グリッドの明度補正後のインク量を計算する（ステップＳ４０９）。明度補正後のインク量を［Ｃ''，Ｍ''，Ｙ''］とすると、計算式は次のようになる。
［Ｃ''，Ｍ''，Ｙ''］＝［Ｃ'，Ｍ'，Ｙ'］×明度補正量
＝［１３．６，２３．７，１３．６］×１
＝［１３．６，２３．７，１３．６］
以上により、補正後の「肌色」に係るインク量が算出される。
【００４８】
なお、上述の実施の形態では、色補正の例として、色相と明度について補正を行う色補正パターンを用いて説明したが、Ｓ値と基準６色相の比重を利用すれば、彩度を調整することも可能である。ユーザが直感的に選択できるように、彩度の補正においても色相の例などと同様に色補正パターンに彩度補正用のパッチを配置することが好ましい。図１３は、色補正アルゴリズムによる彩度に係るプリンタガマットの変化の様子を説明するための模式図である。
【００４９】
以上のように、本発明の実施の形態に係る印刷出力に対する色調整システム、色調整方法及びプリンタドライバによれば、ユーザの趣向に応じて容易に色補正を行うことができる。
また、印刷装置に未対応の印刷媒体でもそれに合わせた色補正を行うことが可能である。この機能は、プリンタドライバ内の設計時においても利用することができる。
さらに、適宜色補正を行うことにより、印刷装置の機構個体差やインク状態の変化（顔料沈降）等にも適切に対応した印刷を行うことができる。また、適切な明度補正によりインク使用量が減少するので、インクライフの向上にも寄与する。
【図面の簡単な説明】
【００５０】
【図１】本発明の実施の形態に係る色調整システムの機能を説明するブロック図である。
【図２】本実施の形態に係る印刷出力に対する色調整方法の手順を示すフローチャートである。
【図３】本実施の形態に係る印刷出力に対する色調整方法に用いる色補正パターンを示す模式図である。
【図４】本発明の実施の形態に係る印刷出力に対する色調整方法で用いる色補正アルゴリズムの手順を示すフローチャートである。
【図５】色補正アルゴリズムの手順に従って上で実行される演算の様子を説明するための図である。
【図６】色補正アルゴリズムによる基準６色相のプリンタガマットの変化の様子を説明するための模式図である。
【図７】色補正アルゴリズムによる黒色相のプリンタガマットの変化の様子を説明するための模式図である。
【図８】色補正アルゴリズムによる黒色相のプリンタガマットの変化の様子を説明するための模式図である。
【図９】色補正アルゴリズムによる黒色相のプリンタガマットの変化の様子を説明するための模式図である。
【図１０】色補正アルゴリズムによる明度に係るプリンタガマットの変化の様子を説明するための模式図である。
【図１１】赤（Ｒ）の基準色相について、色相補正「Ｒ＋」、明度補正「７０％」を選択した場合の補正後インク量の計算例を示すフローチャートである。
【図１２】肌色について、色相補正「Ｒ＋，Ｃ−，ＫＢ」、明度補正「１００％」を選択した場合の補正後インク量の計算例を示すフローチャートである。
【図１３】色補正アルゴリズムによる彩度に係るプリンタガマットの変化の様子を説明するための模式図である。
【符号の説明】
【００５１】
１：色調整システム、２：ホストコンピュータ、３：印刷装置、４：色補正パターン、１０：プリンタドライバ、１１：ＬＵＴ、１２：色補正アルゴリズム、１３：色とインク量の対応関係に係るリソース、２０：ＬＵＴ展開領域、２１：展開したＬＵＴ、２２：補正後のＬＵＴ
【図１】
2009253665.tif 000004
【図２】
2009253665.tif 000005
【図３】
2009253665.tif 000006
【図４】
2009253665.tif 000007
【図５】
2009253665.tif 000008
【図６】
2009253665.tif 000009
【図７】
2009253665.tif 000010
【図８】
2009253665.tif 000011
【図９】
2009253665.tif 000012
【図１０】
2009253665.tif 000013
【図１１】
2009253665.tif 000014
【図１２】
2009253665.tif 000015
【図１３】
2009253665.tif 000016